(57)【要約】【課題】異常時に、制御装置に拘わらずハードウェア的に圧力を下げ、大気圧に戻すことができるようにする。【解決手段】自然排気されない一つの空間に対して、加圧弁１２と減圧弁１４を有する２ポートの電磁弁を用いて加減圧制御する際に、加圧状態が一定時間以上継続したことを検出し、加圧状態が一定時間以上継続した時は、加圧を停止して大気開放する。【選択図】図３
2009061351.tif 000002
【特許請求の範囲】
【請求項１】
自然排気されない一つの空間に対して、２ポートの電磁弁を用いて加減圧制御する際に、
加圧状態が一定時間以上継続した時は、加圧を停止して大気開放することを特徴とする加圧機構の継続加圧防止方法。
【請求項２】
自然排気されない一つの空間に対して、２ポートの電磁弁を用いて加減圧制御する加圧機構において、
加圧状態が一定時間以上継続したことを検出する手段と、
加圧状態が一定時間以上継続した時は、加圧を停止して大気開放する手段と、
を備えたことを特徴とする加圧機構の継続加圧防止装置。
【発明の詳細な説明】
【技術分野】
【０００１】
本発明は、加圧機構の継続加圧防止方法及び装置に係り、特に、電子部品を基板等に実装する際に用いられる電子部品実装装置（マウンタと称する）の上流工程で、電子部品に接着剤を塗布する接着剤塗布装置（ディスペンサと称する）のように、制御装置が異常を起こした際に加圧状態が継続されると困る装置に用いるのに好適な、加圧機構の継続加圧防止方法及び装置に関する。
【背景技術】
【０００２】
空圧制御において、加減圧によりアクチュエータを動かすことが一般的に行なわれている。例えばディスペンサでは、シリンダから接着剤を吐出している。
【０００３】
図１に例示する如く、ＣＰＵ１０からの信号により、アクチュエータ１６の加減圧を、加圧弁１２と減圧弁１４を備えた２ポートの電磁弁で制御し、自然排気が起きないように密閉すれば、電磁弁の操作で、加圧・減圧・固定の３状態を作ることができるが、一定期間で加圧／減圧状態を繰り返している制御が不具合を起こした場合、望まない状態、例えば加圧状態で固定され、シリンダの突出、接着剤の流出等、ディスペンサ等に被害を及ぼすことがある。
【０００４】
一方、特許文献１には、ＣＰＵの暴走（ハングアップ）をウォッチドッグ回路で監視し、リセットを掛けて、ＣＰＵの暴走を復帰させる方法が記載されている。
【０００５】
【特許文献１】特開平５−２０２８９号公報
【発明の開示】
【発明が解決しようとする課題】
【０００６】
しかしながら、特許文献１の技術でも、リセットから立ち上がるまでの時間や、正常に起動しない場合は、望まない状態が継続される。又、加減圧が制御装置に依存しているため、ハングアップにより制御が停止した場合、その後の安全を図ることができず、ディスペンサにおけるシリンダの突出、接着剤の流出等の問題を防ぐことができなかった。
【０００７】
本発明は、前記従来の問題点を解決するべくなされたもので、異常時に、制御装置に拘わらず、ハードウェア的に圧力を下げ、大気圧に戻すことを課題とする。
【課題を解決するための手段】
【０００８】
本発明は、自然排気されない一つの空間に対して、２ポートの電磁弁を用いて加減圧制御する際に、加圧状態が一定時間以上継続した時は、加圧を停止して大気開放することにより、前記課題を解決したものである。
【０００９】
本発明は、又、自然排気されない一つの空間に対して、２ポートの電磁弁を用いて加減圧制御する加圧機構において、加圧状態が一定時間以上継続したことを検出する手段と、加圧状態が一定時間以上継続した時は、加圧を停止して大気開放する手段と、を備えたことを特徴とする加圧機構の継続加圧防止装置を提供するものである。
【発明の効果】
【００１０】
本発明によれば、ハードウェア構成で装置を組むことで、加減圧が制御から離れ、望まない状態となっても、アクチュエータが通常（大気圧）にある状態に戻るようにすることができ、異常状態が継続しないようにすることができる。
【発明を実施するための最良の形態】
【００１１】
以下図面を参照して、本発明の実施形態を詳細に説明する。
【００１２】
本実施形態は、図２に示す如く、ＣＰＵ１０と弁１２、１４の間に、本発明に係る継続加圧防止回路２０を挿入したものである。
【００１３】
この継続加圧防止回路２０は、図３に詳細に示す如く、クロック信号ＣＬＫを分周する分周器２２、３２と、ＣＰＵ１０から入力される加圧信号を反転するためのインバータ２４と、該加圧信号の継続時間を計数するための異常検出カウンタ２６と、該異常検出カウンタ２６の出力を保持するための異常検出ラッチ２８と、前記ＣＰＵ１０から入力される加圧信号と該異常検出ラッチ２８の出力の論理積を加圧弁３０に出力するためのＡＮＤゲート３０と、減圧（大気開放）時間を計数するための減圧時間カウンタ３４と、該減圧時間カウンタ３４の出力を保持する減圧時間ラッチ３６と、前記異常検出ラッチ２８の出力を反転するインバータ３８と、前記異常検出ラッチ２８の出力とＣＰＵ１０から入力される減圧（大気開放）信号の論理積を出力するＡＮＤゲート４０と、前記減圧時間ラッチ３６の出力とインバータ３８の出力の論理積を出力するＡＮＤゲート４２と、前記ＡＮＤゲート４０、４２の論理和を減圧弁１４に出力するＯＲゲート４４とを含んで構成されている。
【００１４】
ここでは、Ｌow信号で加圧される制御構成を示しているが、各論理を反転することでＨigh信号にも対応できる。
【００１５】
本実施形態の継続加圧防止装置は、異常検出カウンタ２６によって異常を検知することができ、減圧時間カウンタ３４によって、異常後の減圧（排気）を所定時間行なうことができる。
【００１６】
即ち、図４に例示する如く、加圧信号がＣＰＵ１０から入力されると、異常検出カウンタ２６のクリア端子ＣＬがディセーブルとなり、異常検出カウンタ２６がカウントを開始する。正常に制御されている場合は、一定時間で加圧が解除されるため、クリア端子ＣＬがイネーブルとなり、異常検出カウンタ２６はリセットされる。
【００１７】
一方、不具合が起き、加圧信号が解除されない場合は、異常検出カウンタ２６が一定のカウントを行なったところで、その出力端子Ｑ＊から出力された信号がトリガとなり、異常検出ラッチ２８が動作しＨigh信号が出力される。出力された信号により、加圧信号は全て無視され、加圧が停止される。
【００１８】
一方排気は、異常検出ラッチ２８の出力を受け、クリア端子ＣＬがディセーブルとなった減圧時間カウンタ３４が一定カウントを行ない、減圧時間ラッチ３６にトリガを送るまで続く。
【００１９】
ここで、異常検出及び減圧時間決定の各カウンタ２６、３４は、元のクロック信号ＣＬＫと分周器２２、３２によって、任意の周期に設定できる。
【００２０】
このようにして、ＣＰＵ１０や制御ソフトウェアのハングアップにより、加圧信号が継続した場合、アクチュエータ１６に悪い影響を与えないために、強制的に加圧信号を止める。又、その圧力を開放するために減圧（大気開放）信号を出力する。
【００２１】
なお、前記説明においては、本発明がディスペンサに適用される場合を想定して説明していたが、本発明の適用対象はこれに限定されず、加圧機構一般に同様に適用できることは明らかである。
【図面の簡単な説明】
【００２２】
【図１】２ポートの電磁弁を用いた加圧機構の一例の構成を示すブロック図
【図２】本発明が適用された加圧機構の実施形態の全体構成を示すブロック図
【図３】同じく継続加圧防止回路の詳細を示す回路図
【図４】前記実施形態の動作を示すタイムチャート
【符号の説明】
【００２３】
１０…ＣＰＵ
１２…加圧弁
１４…減圧弁
１６…アクチュエータ
２０…継続加圧防止回路
２６…異常検出カウンタ
２８…異常検出ラッチ
３４…減圧時間カウンタ
３６…減圧時間ラッチ
【図１】
2009061351.tif 000003
【図２】
2009061351.tif 000004
【図３】
2009061351.tif 000005
【図４】
2009061351.tif 000006